(57)【要約】【課題】  いわゆるリモコン操作以外の煩雑な手動操作等を要することなく、簡易に出力装置の選択・切り換えを実行することのできる出力接続切替装置および出力接続切替遠隔操作装置ならびに出力接続切替方法を提供する。【解決手段】  出力接続切替装置１は、出力装置３が接続される複数の出力端子１００Ａ，Ｂ…，Ｚの各々について、それぞれ出力装置３の接続の有無を検出し、出力接続切替遠隔操作装置２から送信されて来る制御信号を受信し、その制御信号に基づいて出力端子の各々に対して信号出力の有無のスイッチング動作を行うことで、ユーザの所望する出力装置３へと音声信号や映像信号が送出されるように、出力信号の接続関係を切り替える。【選択図】        図１
2005094350.tif 000002
【特許請求の範囲】
【請求項１】
出力装置が接続される複数の出力端と、
前記複数の出力端の各々について、それぞれ出力装置の接続の有無を検出する接続検出手段と、
前記出力端の各々に対して信号出力の有無のスイッチング動作を行うスイッチング手段と、
外部の出力接続切替遠隔操作装置から送信されて来る制御信号を受信する制御信号受信手段と、
前記制御信号に基づいて前記スイッチング動作を前記スイッチング手段が行うように、前記スイッチング手段の動作を制御するスイッチング動作制御手段と
を備えたことを特徴とする出力接続切替装置。
【請求項２】
出力装置が接続される複数の出力端と、
前記複数の出力端の各々について、それぞれ出力装置の接続の有無を検出する接続検出手段と、
前記出力端の各々に対して信号出力の有無のスイッチング動作を行うスイッチング手段と、
外部の出力接続切替遠隔操作装置から送信されて来る制御信号を受信する制御信号受信手段と、
前記出力端に接続される出力装置の識別情報を記憶しておき、前記制御信号に含まれている識別情報に基づいて、当該識別情報に対応した出力装置が接続された出力端に対するスイッチング動作を前記スイッチング手段が行うように、前記スイッチング手段の動作を制御するスイッチング動作制御手段と
を備えたことを特徴とする出力接続切替装置。
【請求項３】
前記スイッチング動作制御手段は、前記識別情報の書き換えが可能である
ことを特徴とする請求項２記載の出力接続切替装置。
【請求項４】
前記スイッチング動作制御手段は、前記制御信号に含まれている識別情報に基づいて、当該識別情報に対応した出力装置が接続された出力端に対するスイッチング動作を前記スイッチング手段に行わせると共に、当該識別情報に対応した出力装置の電源のスイッチングの制御を行う
ことを特徴とする請求項２記載の出力接続切替装置。
【請求項５】
出力装置が接続される複数の出力端と、前記複数の出力端の各々について、それぞれ出力装置の接続の有無を検出する接続検出手段と、前記出力端の各々に対して信号出力の有無のスイッチング動作を行うスイッチング手段と、外部から送信されて来る制御信号を受信する制御信号受信手段と、前記制御信号に基づいて前記スイッチング動作を前記スイッチング手段が行うように、前記スイッチング手段の動作を制御するスイッチング動作制御手段とを備えた出力接続切替装置に対して、前記制御信号を送信する制御信号送信手段を備えた
ことを特徴とする出力接続切替遠隔操作装置。
【請求項６】
出力装置が接続される複数の出力端と、前記複数の出力端の各々についてそれぞれ出力装置の接続の有無を検出する接続検出手段と、前記出力端の各々に対して信号出力の有無のスイッチング動作を行うスイッチング手段と、外部から送信されて来る制御信号を受信する制御信号受信手段と、前記出力端に接続される出力装置の識別情報を記憶しておき、前記制御信号に含まれている識別情報に基づいて、当該識別情報に対応した出力装置が接続される出力端に対するスイッチング動作を前記スイッチング手段が行うように前記スイッチング手段の動作を制御するスイッチング動作制御手段とを備えた出力接続切替装置に対して、前記制御信号を送信する制御信号送信手段を備えた
ことを特徴とする出力接続切替遠隔操作装置。
【請求項７】
前記出力装置に対応して割り振られる複数の選択釦と、
前記出力端に接続される出力装置の識別情報を記憶すると共に、前記識別情報と前記選択釦との対応関係を記憶する識別情報記憶手段とを備えており、
かつ前記識別情報記憶手段は、前記識別情報と選択釦との対応関係を書き換え可能に設定されている
ことを特徴とする請求項６記載の出力接続切替遠隔操作装置。
【請求項８】
出力装置が接続される複数の出力端の各々について、それぞれ出力装置の接続の有無を検出し、
外部から送信されて来る制御信号を受信し、
前記制御信号に基づいて、前記出力端の各々に対して信号出力の有無のスイッチング動作を行う
ことを特徴とする出力接続切替方法。
【請求項９】
出力装置が接続される複数の出力端の各々について、それぞれ出力装置の接続の有無を検出し、
前記出力端に接続される出力装置の識別情報を記憶しておき、
外部から送信されて来る制御信号を受信し、前記制御信号に含まれている識別情報に基づいて、当該識別情報に対応した出力装置が接続された出力端に対して信号出力の有無のスイッチング動作を行う
ことを特徴とする出力接続切替方法。
【請求項１０】
前記制御信号に含まれている識別情報に基づいて、当該識別情報に対応した出力装置が接続された出力端に対するスイッチング動作を行うと共に、当該識別情報に対応した出力装置の電源のスイッチングの制御を行う
ことを特徴とする請求項８記載の出力接続切替方法。
【発明の詳細な説明】
【技術分野】
【０００１】
本発明は出力接続切替装置および出力接続切替遠隔操作装置ならびに出力接続切替方法に関する。
【背景技術】
【０００２】
例えばＤＶＤ（Digital Versatile Disc）再生装置のような従来の視聴覚機器（いわゆるＡＶ；Audio Visual機器）では、例えば音声出力を行うための出力装置として、スピーカとヘッドホンとのような、複数種類のものを用いることができるようになっている場合が多い。
【０００３】
このスピーカとヘッドホンとの場合、一般に、ヘッドホンの接続端子（いわゆるピンジャック）を再生装置またはアンプ（信号増幅装置）の筐体に設けられた出力端子に装着すると、その出力端子に設けられている接点が機械的にスイッチングを行って、ヘッドホンに対しては音声信号を出力し、それと共にスピーカに対しては音声信号を出力しないようにして、ヘッドホンにのみ音声出力を行わせるようにしている。
【０００４】
また、映像出力を行うための出力装置として、液晶表示装置とＣＲＴ（Cathode Ray Tube）とのような、複数種類のものを用いることができるようになっている場合も多い。このような映像出力の場合、複数の出力端子に対してパラレルで（同時・並列的に）映像信号を出力するようにしている。
【特許文献１】特開平１０−２２４８８６号公報
【特許文献２】特開平７−３２７１４６号公報
【特許文献３】特開平３−５８６９５号公報
【発明の開示】
【発明が解決しようとする課題】
【０００５】
しかしながら、上記のような従来の技術では、複数の出力装置に対して、再生装置またはアンプの前面の操作パネルなどに設けられた切換スイッチによって出力を切り換えるように設定されているので、ユーザは、その切換スイッチが設けられている操作パネルの側まで赴いて切替操作をしなければならなかった。あるいは、特に切換手段がなかったたりしたために、出力装置の選択を容易に切り替えることができなかった。
【０００６】
例えば音声出力について、ピンジャック等の接続端子が設けられたアンプの場合を一例にとると、スピーカとヘッドホンとの２種類の出力装置のうち、どちらか一方から他方に出力を切り替える際には、実際上、遠隔操作ができなかった。より具体的には、スピーカからヘッドホンに切り換えるためには、ユーザはヘッドホンのピンジャックをアンプに差し込みに行かなくてはならないので、遠隔操作だけでは切り替えができない。あるいは最初からへッドホンのピンジャックをアンプに差し込んだままにしておくと、スピーカからの音声出力は上記のような機械的なスイッチングによって停止された状態が保持されるので、スピーカからの音声出力を選択することができない。
【０００７】
また逆に、ヘッドホンからスピーカに切り換える際には、ユーザはヘッドホンのピンジャックをアンプから引き抜かなければならない。
【０００８】
また、出力装置の切り換えを頻繁に行いたい場合などには、その切り換えのたびごとに同様のピンジャックの差し込み／引き抜きの操作を行う必要があり、操作に手間がかかってしまい、使い勝手が良くない。
【０００９】
あるいはまた、映像出力の場合にも、出力装置の種類によっては、その出力装置で用いられる信号のフォーマットが異なっていることなどから、どの出力装置がどの出力端子に接続されているのかをユーザは把握しておかなければならず、極めて煩雑である。
【００１０】
また、近年、アンプや再生装置には、いわゆるリモコンと呼ばれる遠隔操作装置が付属されている場合が多いが、出力装置の選択（切替）を、その選択した出力装置の電源のオン／オフの切り替えと共に行うことができるものはなかったので、折角、出力装置の選択についてはリモコン操作が可能になっても、その選択した出力装置の電源をユーザが手動でオンにしたり電源プラグを電源ソケットに装着するためにその位置まで移動することが必要となり、煩雑である。
【００１１】
本発明はかかる問題点に鑑みてなされたもので、その目的は、いわゆるリモコン操作以外の煩雑な手動操作等を要することなく、簡易に出力装置の選択・切り換えを実行することのできる出力接続切替装置および出力接続切替遠隔操作装置ならびに出力接続切替方法を提供することにある。
【課題を解決するための手段】
【００１２】
本発明による第１の出力接続切替装置は、出力装置が接続される複数の出力端と、複数の出力端の各々について、それぞれ出力装置の接続の有無を検出する接続検出手段と、出力端の各々に対して信号出力の有無のスイッチング動作を行うスイッチング手段と、外部の出力接続切替遠隔操作装置から送信されて来る制御信号を受信する制御信号受信手段と、制御信号に基づいたスイッチング動作を行うようにスイッチング手段の動作を制御するスイッチング動作制御手段とを備えている。
【００１３】
また、本発明による第１の出力接続切替方法は、出力装置が接続される複数の出力端の各々について、それぞれ出力装置の接続の有無を検出し、外部から送信されて来る制御信号を受信し、制御信号に基づいて、出力端の各々に対して信号出力の有無のスイッチング動作を行う、というものである。
【００１４】
また、本発明による第１の出力接続切替遠隔操作装置は、出力装置が接続される複数の出力端と、複数の出力端の各々について、それぞれ出力装置の接続の有無を検出する接続検出手段と、出力端の各々に対して信号出力の有無のスイッチング動作を行うスイッチング手段と、外部から送信されて来る制御信号を受信する制御信号受信手段と、制御信号に基づいてスイッチング動作をスイッチング手段が行うように、スイッチング手段の動作を制御するスイッチング動作制御手段とを備えた出力接続切替装置に対して、制御信号を送信する。
【００１５】
本発明による第１の出力接続切替装置または出力接続切替遠隔操作装置もしくは出力接続切替方法では、出力装置が接続される複数の出力端の各々について、それぞれ出力装置の接続の有無を検出し、出力接続切替遠隔操作装置から送信されて来る制御信号を受信し、その制御信号に基づいて出力端の各々に対して信号出力の有無のスイッチング動作を行うことで、ユーザの所望する出力装置へと音声信号や映像信号が送出されるように、出力信号の接続関係が切り替えられる。
【００１６】
本発明による第２の出力接続切替装置は、出力装置が接続される複数の出力端と、複数の出力端の各々について、それぞれ出力装置の接続の有無を検出する接続検出手段と、出力端の各々に対して信号出力の有無のスイッチング動作を行うスイッチング手段と、外部の出力接続切替遠隔操作装置から送信されて来る制御信号を受信する制御信号受信手段と、出力端に接続される出力装置の識別情報を記憶しておき、その制御信号に含まれている識別情報に基づいて、当該識別情報に対応した出力装置が接続された出力端に対するスイッチング動作をスイッチング手段が行うように、スイッチング手段の動作を制御するスイッチング動作制御手段とを備えている。
【００１７】
本発明による第２の出力接続切替遠隔操作装置は、出力装置が接続される複数の出力端と、複数の出力端の各々についてそれぞれ出力装置の接続の有無を検出する接続検出手段と、出力端の各々に対して信号出力の有無のスイッチング動作を行うスイッチング手段と、外部から送信されて来る制御信号を受信する制御信号受信手段と、出力端に接続される出力装置の識別情報を記憶しておき、制御信号に含まれている識別情報に基づいて、当該識別情報に対応した出力装置が接続される出力端に対するスイッチング動作をスイッチング手段が行うようにスイッチング手段の動作を制御するスイッチング動作制御手段とを備えた出力接続切替装置に対して制御信号を送信する。
【００１８】
本発明による第２の出力接続切替方法は、出力装置が接続される複数の出力端の各々について、それぞれ出力装置の接続の有無を検出し、各出力端に接続される出力装置の識別情報を記憶しておき、出力接続切替遠隔操作装置から送信されて来る制御信号を受信し、制御信号に含まれている識別情報に基づいて、当該識別情報に対応した出力装置が接続された出力端に対して信号出力の有無のスイッチング動作を行う、というものである。
【００１９】
本発明による第２の出力接続切替装置または出力接続切替遠隔操作装置もしくは出力接続切替方法では、出力装置が接続される複数の出力端の各々について、それぞれ出力装置の接続の有無を検出し、各出力端に接続される出力装置の識別情報を記憶しておき、出力接続切替遠隔操作装置から送信されて来る制御信号を受信し、制御信号に含まれている識別情報に基づいて、当該識別情報に対応した出力装置が接続された出力端に対して信号出力の有無のスイッチング動作を行うことで、ユーザの所望する出力装置へと音声信号や映像信号が送出されるように、出力信号の接続関係が切り替えられる。
【００２０】
なお、本発明による第２の出力接続切替遠隔操作装置では、出力装置に対応して割り振られる複数の選択釦と、出力端に接続される出力装置の識別情報を記憶すると共に、識別情報と選択釦との対応関係を記憶する識別情報記憶手段とを備えており、かつ識別情報記憶手段は、識別情報と選択釦との対応関係を書き換え可能に設定されているようにすることで、ユーザが識別情報と選択釦との対応関係をカスタマイズできるようにしてもよい。
【００２１】
また、上記のスイッチング動作制御手段は、識別情報の書き換えが可能であるように設定してもよい。
【００２２】
また、上記のスイッチング動作制御手段は、制御信号に含まれている識別情報に基づいて、当該識別情報に対応した出力装置が接続された出力端に対するスイッチング動作をスイッチング手段に行わせると共に、当該識別情報に対応した出力装置の電源のスイッチングの制御を行うように設定してもよい。
【発明の効果】
【００２３】
本発明の第１の出力接続切替装置または出力接続切替遠隔操作装置もしくは出力接続切替方法によれば、出力装置が接続される複数の出力端の各々について、それぞれ出力装置の接続の有無を検出し、出力接続切替遠隔操作装置から送信されて来る制御信号を受信し、その制御信号に基づいて出力端の各々に対して信号出力の有無のスイッチング動作を行うようにしたので、ユーザの所望する出力装置へと音声信号や映像信号が送出されるように出力信号の接続関係を極めて簡易な遠隔操作のみによって切り替えることができる。
【００２４】
また、本発明の第２の出力接続切替装置または出力接続切替遠隔操作装置もしくは出力接続切替方法によれば、出力装置が接続される複数の出力端の各々について、それぞれ出力装置の接続の有無を検出し、各出力端に接続される出力装置の識別情報を記憶しておき、出力接続切替遠隔操作装置から送信されて来る制御信号を受信し、制御信号に含まれている識別情報に基づいて、当該識別情報に対応した出力装置が接続された出力端に対して信号出力の有無のスイッチング動作を行うようにしたので、ユーザの所望する出力装置へと音声信号や映像信号が送出されるように出力信号の接続関係を極めて簡易な遠隔操作のみによって切り替えることができる。
【発明を実施するための最良の形態】
【００２５】
以下、本発明の実施の形態について図面を参照して詳細に説明する。
【００２６】
図１は、本発明の一実施の形態に係る出力接続切替装置の概要構成を表したものである。
【００２７】
なお、本発明の実施の形態に係る出力接続切替方法は、この出力接続切替装置および出力接続切替遠隔操作装置の動作あるいは作用によって具現化されるものであるから、以下、それらを併せて説明する。
【００２８】
出力接続切替装置１は、複数の出力端子（出力端）１００（１００Ａ，１００Ｂ…，１００Ｚ）と、接続検出部２００と、スイッチアレイ（スイッチング手段）３００と、制御信号受信部４００と、スイッチング動作制御部５００とを備えている。
【００２９】
出力端子１００は、複数の出力装置に接続可能なように複数個設けられている。
【００３０】
接続検出部２００は、複数の出力端子１００の各々について、それぞれ接続検出回路２０１Ａ，２０１Ｂ，…２０１Ｚを配置してなるもので、その個々の出力端子１００ごとの出力装置の接続の有無を検出する。
【００３１】
スイッチアレイ３００は、例えばパワートランジスタのようなスイッチング素子（図示省略）またはリレー（継断器）のような機械的スイッチング回路部品（図示省略）をスイッチ３０１Ａ，３０１Ｂ…３０１Ｚとして複数個配列してなるもので、その個々のスイッチのそれぞれが、前述の出力端の各々に対して信号出力のオン・オフを切り替えるというスイッチング動作を行うための、スイッチング手段である。
【００３２】
制御信号受信部４００は、外部の出力接続切替遠隔操作装置から送信されて来る制御信号を受信する。その通信方式としては、例えば一般的な赤外線を用いたものなどが利用可能である。
【００３３】
スイッチング動作制御部５００は、出力端に接続される出力装置の識別情報を記憶しておき、制御信号に含まれている識別情報に基づいて、その識別情報に対応した出力装置が接続された出力端に対するスイッチング動作をスイッチアレイ３００に行わせるという制御を行うものである。
【００３４】
この出力接続切替装置は、例えば図２に示したように、信号増幅装置（アンプ）に内蔵されて、後述する出力接続切替遠隔操作装置と共に用いることなどが可能である。
【００３５】
出力接続切替遠隔操作装置（リモコン）は、図２に示したように、複数の出力選択釦２０１と、識別情報記憶部２０２と、制御信号送信部２０３と、出力切換釦２０４と、電源釦２０５と、出力装置制御釦２０６とを、その主要部として備えている。
【００３６】
複数の出力選択釦２０１は、その各々が、それぞれ出力装置に対応して１対１に対応するように割り振られる。
【００３７】
識別情報記憶部２０２は、各出力端子１００に各々接続される出力装置３の識別情報を記憶すると共に、その識別情報と出力選択釦２０１との対応関係を記憶するものである。この識別情報記憶部２０２は、識別情報と出力選択釦２０１との対応関係を書き換えることが可能となっている。
【００３８】
次に、この出力接続切替装置１および出力接続切替遠隔操作装置２の主要な動作似ついて説明する。ここでは、図２に示したような再生装置４、信号増幅装置１、複数の出力装置３によってその主要部が構成される全体的なシステムを考える。
【００３９】
信号増幅装置（アンプ）１１０には、出力接続切替装置１が内蔵されていて、上記のような接続検出部２００およびスイッチング動作制御部５００の機能によって、現在どの出力装置３がどの接続端子１００に接続されているかを判断できるようになっている。なお、接続された出力装置３を判断出来ない場合は、全ての出力端子１００に対して切換を行うように設定してもよい。
【００４０】
出力接続切替遠隔操作装置２には、上記のような出力切換釦２０４または出力選択釦２０１が装備されている。ユーザは、出力切換釦２０４を繰り返し押すことによって、現在接続されている出力装置３を順番に選択して行くことで所望の出力装置３を選択して、その出力装置３から音声や映像を出力させることができる。
【００４１】
すなわち、図３のフローチャートにその主要な流れを示したように、ユーザが出力切換釦２０４を押下する毎に（Ｓ３１）、今回選択される出力装置３の識別番号（識別情報）が例えば番号順に切り替わって行く。
【００４２】
ユーザが所望する（選択される）出力装置３の識別番号を決定すると（Ｓ３２）、その識別番号を含んだ制御信号が、この出力接続切替遠隔操作装置２から出力接続切替装置１へと伝送される。
【００４３】
そして出力接続切替装置１では、まず、伝送されて来た制御信号に含まれている識別番号が存在しているが否か（記憶されている番号であるか否か）を判定し（Ｓ３３）、存在している場合には（Ｓ３３のＹＥＳ）、その識別番号に対応した出力端子１００に出力信号が出力されるように、スイッチアレイ３００による接続の切り換え動作を行う。しかしここで、決定された識別番号が存在しない場合には、スイッチアレイ３００による接続の切り換え動作は行わず（Ｓ３５）、そのときの識別番号に対応した出力端子１００への切り換え命令はキャンセルする。
【００４４】
あるいは、そのようにして今回選択する出力装置３が決定されたならば、図４に示したように、今まで選択されていた識別番号を、今回決定された新たな出力装置３の識別番号に更新する（Ｓ４１）。そしてその今回選択された識別番号に対応する出力端子１００に出力装置３が接続されている場合には（Ｓ４２のＹＥＳ）、その選択された識別番号に決定すると共に、その識別番号に対応した出力端子１００へと信号出力を行うことに決定する（Ｓ４３）。しかし今回選択された識別番号に対応する出力端子１００に出力装置３が接続されていない場合には（Ｓ４２のＮＯ）、全ての出力装置３の識別番号をチェックして（Ｓ４４のＹＥＳ）、それでも該当する識別番号がない場合には、「番号なし」として処理して（Ｓ４５）、次回の更新まで待ち状態に戻る。
【００４５】
あるいは、図５に示したように、事前に出力装置３と出力選択釦２０１との対応関係を出力接続切替遠隔操作装置２に登録（記憶）しておき、ユーザが出力を所望する出力装置３に対応した出力選択釦２０１を押下することで、その所望の出力装置３を選択することも可能である。
【００４６】
すなわち、図５のフローチャートにその主要な流れを示したように、ユーザが、事前に登録しておいた出力装置３と出力選択釦２０１との対応関係に則して、所望の出力装置３に対応した出力選択釦２０１を押下することにより（Ｓ５１）、事前に登録しておいた出力装置３に対応した識別番号を選択する。するとその識別番号がすでに登録されているものでるのか否かを、この出力接続切替遠隔操作装置２はチェックする（Ｓ５２）。その識別番号が、登録済みの番号であった場合には（Ｓ５２のＹＥＳ）、その識別番号を含んだ制御信号が、出力接続切替遠隔操作装置２から出力接続切替装置１へと伝送され、出力接続切替装置１では、制御信号を受信して、その中に含まれている識別番号に対応した選択的な切り替え動作を行う（Ｓ５３）。しかし識別番号が登録済みの番号でない場合には（Ｓ５２のＮＯ）、その識別番号を含んだ制御信号に基づいた切り換えは行わない（Ｓ５４）。
【００４７】
ここで、出力選択釦２０１の個数は、一度に接続可能な出力装置３の台数に対応して適宜な個数にすることが可能であることは言うまでもない。
【００４８】
なお、出力選択釦２０１にどの出力装置３を割り当てるかを事前登録しておく方法については、一例として図６にその主要な流れを示したような方法が可能である。但しこれのみには限定されず、これ以外にも様々な方法が可能であることは言うまでもない。この図６の一例では、出力装置３Ａを出力選択釦２０１Ａに割り当てる場合の流れについてを示している。すなわち、出力装置３Ａを出力選択釦２０１Ａに割り当てるにあたり、出力選択釦２０１Ａがユーザによって一定時間以上に亘って押し続けられると（Ｓ６１のＹＥＳ）、その出力選択釦２０１Ａに現在出力中の出力装置３Ａを割り当てて登録する（Ｓ６２）。しかしここで、出力選択釦２０１Ａがユーザによって押し続けられる時間が、前述の一定時間未満の場合には（Ｓ６１のＮＯ）、現在まで登録されている出力選択釦２０１と出力装置３との対応関係に則して、その出力選択釦２０１Ａに対応する出力装置３からの出力が選択される（Ｓ６３）。
【００４９】
なお、出力装置３が、例えば映像モニタなどのように電源管理（電源のオン・オフ）を必要とするものの場合などには、出力接続切替遠隔操作装置２に電源釦２０５や出力装置制御釦２０６を設けて、ユーザが出力接続切替遠隔操作装置２によって出力装置３の電源（図示省略）のオン・オフや主要な動作を遠隔操作できるようにすることも可能である。
【００５０】
また、複数の入力ラインがある場合などには、上記のような出力装置３が複数接続されている場合と同様に、入力切換釦（図示省略）を出力接続切替遠隔操作装置２に用意することが望ましい。このとき、出力切換釦２０４で選択する場合は、電源釦２０５との組み合わせで操作を行うようにすることが望ましい。また、この場合、信号増幅装置１１０の電源（図示省略）を入れたときに特に出力装置３の指定を行わなければ、前回の操作で選択した出力装置３から信号が出力されるようにすることなども望ましい。
【００５１】
また、携帯モニター（図示省略）などを使用することによって、映像出力機器が複数存在する場合も、ユーザが利用したい出力装置の画面に簡便に映像を映し出すことなども可能である。
【００５２】
以上のように、本実施の形態に係る出力接続切替装置１および出力接続切替遠隔操作装置２によれば、遠隔操作によって複数の出力装置３Ａ，３Ｂ…（例えばスピーカとヘッドホン）の接続の切り換えを簡便に行うことができる。よって、例えば常時ヘッドホンを接続した状態にしておくことが可能となる。このように、本実施の形態に係る出力接続切替装置１によって、ユーザは、複数の出力装置３Ａ，３Ｂ…のなかから所望の出力装置３を極めて簡便に選択して、その出力装置３から出力される音声や映像を楽しむことが可能となる。
【００５３】
また、電源管理や入力切換が必要な出力装置３に対しては、電源釦２０５を出力選択釦２０１に近接して配置することによって、ユーザによるリモコン操作の簡便性をさらに高いものとすることができる。
【００５４】
また、出力装置３を選択したときの設定を登録しておくことで、以前に選択した状態を容易に再現することが可能となる。
【産業上の利用可能性】
【００５５】
本発明による出力接続切替装置および出力接続切替遠隔操作装置ならびに出力接続切替方法は、例えばＤＶＤ再生装置や衛星放送受信装置のような信号源から信号増幅装置へと入力されて来る映像信号や音声信号を、複数の出力装置のうちから選択した出力装置へと出力して、その選択した出力装置によって映像や音声を出力させるようにする、といったシステムなどに好適である。
【図面の簡単な説明】
【００５６】
【図１】本発明の一実施の形態に係る出力接続切替装置の概要構成を表した図である。
【図２】出力接続切替装置が信号増幅装置に内蔵されて出力接続切替遠隔操作装置と共にシステム的に用いられる場合の一例を表した図である。
【図３】本発明の一実施の形態に係る出力接続切替装置および出力接続切替遠隔操作装置の動作の主要な流れを表した図である。
【図４】本発明の一実施の形態に係る出力接続切替装置および出力接続切替遠隔操作装置の動作の主要な流れのバリエーションの一つを表した図である。
【図５】本発明の一実施の形態に係る出力接続切替装置および出力接続切替遠隔操作装置の動作の主要な流れのバリエーションの一つを表した図である。
【図６】本発明の一実施の形態に係る出力接続切替装置および出力接続切替遠隔操作装置の動作の主要な流れのバリエーションの一つを表した図である。
【符号の説明】
【００５７】
１００…出力端子、２００…接続検出部、３００…スイッチアレイ、４００…制御信号受信部、５００…スイッチング動作制御部
【図１】
2005094350.tif 000003
【図２】
2005094350.tif 000004
【図３】
2005094350.tif 000005
【図４】
2005094350.tif 000006
【図５】
2005094350.tif 000007
【図６】
2005094350.tif 000008